(57)【要約】      （修正有）【課題】ゴルフクラブの慣性特性についてすべて改善が可能でありながら重心も改善できるゴルフクラブへッドおよびゴルフクラブを提供する。【解決手段】ヘッドのフェースの幾何中心に接してヒールに向かって延びる方向をＸ軸、該Ｘ軸に直交し該ヘッドのクラウンに向かって伸びる方向をＹ軸、該Ｘ軸と該Ｙ軸の双方と直交し該ヘッドの前面部分に向かって延びる方向をＺ軸、該Ｚ軸周りの慣性モーメントをＭＯＩ−Ｚ、Ｙ軸周りの慣性モーメントをＭＯＩ−Ｙとしたときに、ＭＯＩ−Ｚに対するＭＯＩ−Ｙの比を約１．５０より大きくする。【選択図】図４
2020093081.tif 000002
【特許請求の範囲】
【請求項１】
ゴルフクラブヘッドにおいて、
フェース中心を定義するのを支援する打撃フェースをさらに有し、当該ゴルフクラブヘッドの前方部分に位置付けられた前面部分と、
上記打撃フェースの後方に位置付けられた背面部分と、
ヒールおよびトウの配向において上記ゴルフクラブヘッドの中央部分の近くに、上記フェース中心に実質的に揃って、当該フェース中心の後方に位置付けられた少なくとも１つの第１の重み付け部材とを有し、
ｘ−軸は、上記打撃フェースの幾何中心に接して、上記ゴルフクラブヘッドのヒールに向かって正方向となる水平軸として定義され、ｙ−軸は上記ｘ−軸と直交し、上記ゴルフクラブヘッドのクラウンに向かって正方向となる水平軸であり、ｚ−軸は上記ｘ−軸および上記ｙ−軸の双方と直交し、上記ゴルフクラブヘッドの上記前面部分に向かって正方向となり、
上記ゴルフクラブヘッドは、約１．５０より大きなＭＯＩ−Ｚに対するＭＯＩ−Ｙの比を有することを特徴とするゴルフクラブヘッド。
【請求項２】
上記ゴルフクラブヘッドは、約１．５７より大きなＭＯＩ−Ｚに対するＭＯＩ−Ｙの比を有する請求項１記載のゴルフクラブヘッド。
【請求項３】
上記ゴルフクラブヘッドは、約１．６８より大きなＭＯＩ−Ｚに対するＭＯＩ−Ｙの比を有する請求項２記載のゴルフクラブヘッド。
【請求項４】
上記ゴルフクラブヘッドは、約２６８ｋｇ−ｍｍ２より小さなＭＯＩ−Ｚ測定値を有し、
上記ゴルフクラブヘッドは、約４２０ｋｇ−ｍｍ２より大きなＭＯＩ−Ｙ測定値を有し、
上記ゴルフクラブヘッドは、約８５０ｋｇ−ｍｍ２より小さなＭＯＩ−ＳＡ測定値を有する請求項１記載のゴルフクラブヘッド。
【請求項５】
上記ＭＯＩ−Ｙ数が約５００より大きければ、上記ＭＯＩ−Ｚ数は
ＭＯＩ−Ｚ≦（０．４７×ＭＯＩ−Ｙ）＋０．３３
の式に支配される請求項１記載のゴルフクラブヘッド。
【請求項６】
上記ゴルフクラブヘッドは、約１．１０より大きな、ＭＯＩ−Ｚに対するＭＯＩ−Ｘの比を有する請求項１記載のゴルフクラブヘッド。
【請求項７】
上記ゴルフクラブヘッドは、約１．２０より大きな、ＭＯＩ−Ｚに対するＭＯＩ−Ｘの比を有する請求項６記載のゴルフクラブヘッド。
【請求項８】
上記ゴルフクラブヘッドは、約１．２８より大きな、ＭＯＩ−Ｚに対するＭＯＩ−Ｘの比を有する請求項７記載のゴルフクラブヘッド。
【請求項９】
上記ゴルフクラブヘッドは、約２６８ｋｇ−ｍｍ２より小さなＭＯＩ−Ｚ測定値を有し、
上記ゴルフクラブヘッドは、約３２０ｋｇ−ｍｍ２より大きなＭＯＩ−Ｙ測定値を有し、
上記ゴルフクラブヘッドは、約８５０ｋｇ−ｍｍ２より小さなＭＯＩ−ＳＡ測定値を有する請求項８記載のゴルフクラブヘッド。
【請求項１０】
上記ゴルフクラブヘッドは、ヒール・トウ配向に沿って上記ゴルフクラブヘッドの中央部分の近くに位置付けられ、実質的に上記フェース中心に揃ってその後方にあり、上記第１の重み付け部材の後方に位置付けられる第２の重み付け部材を有する請求項１記載のゴルフクラブヘッド。
【請求項１１】
ゴルフクラブヘッドにおいて、
フェース中心を定義するのを支援する打撃フェースをさらに有し、当該ゴルフクラブヘッドの前方部分に位置付けられた前面部分と、
上記打撃フェースの後方に位置付けられた背面部分と、
ヒールおよびトウの配向において上記ゴルフクラブヘッドの中央部分の近くに、上記フェース中心に実質的に揃って、当該フェース中心の後方に位置付けられた少なくとも１つの第１の重み付け部材とを有し、
ｘ−軸は、上記打撃フェースの幾何中心に接して、上記ゴルフクラブヘッドのヒールに向かって正方向となる水平軸として定義され、ｙ−軸は上記ｘ−軸と直交し、上記ゴルフクラブヘッドのクラウンに向かって正方向となる水平軸であり、ｚ−軸は上記ｘ−軸および上記ｙ−軸の双方と直交し、上記ゴルフクラブヘッドの上記前面部分に向かって正方向となり、
上記ゴルフクラブヘッドは、以下の式：
（ＭＯＩ−Ｘ）／（ＭＯＩ−Ｚ）≧（６．７５０１×ＣＧ−Ｚ）−９９．３０
を満たすＭＯＩ−Ｘ、ＭＯＩ−Ｚ、およびＣＧ−Ｚの数を有することを特徴とするゴルフクラブヘッド。
【請求項１２】
上記ゴルフクラブヘッドは、以下の式：
（ＭＯＩ−Ｙ）／（ＭＯＩ−Ｚ）≧（１１．３４９×ＣＧ−Ｚ）−１７５．７６
を満たすＭＯＩ−Ｙ、ＭＯＩ−Ｚ、およびＣＧ−Ｚの数を有する請求項１１記載のゴルフクラブヘッド。
【請求項１３】
上記ゴルフクラブヘッドは、以下の式：
（ＭＯＩ−Ｘ＋ＭＯＩ−Ｙ）／（ＭＯＩ−Ｚ）≧（１８．６７×ＣＧ−Ｚ）−２９６．６８
を満たすＭＯＩ−Ｘ、ＭＯＩ−Ｙ、ＭＯＩ−Ｚ、およびＣＧ−Ｚの数を有する請求項１２記載のゴルフクラブヘッド。
【請求項１４】
上記ゴルフクラブヘッドは約２６８ｋｇ−ｍｍ２より小さなＭＯＩ−Ｚ測定値を有し、
上記ゴルフクラブヘッドは約４２０ｋｇ−ｍｍ２より大きなＭＯＩ−Ｙ測定値を有し、
上記ゴルフクラブヘッドは約３２０ｋｇ−ｍｍ２より大きなＭＯＩ−Ｘ測定値を有し、
上記ゴルフクラブヘッドは約８００ｋｇ−ｍｍ２より小さなＭＯＩ−ＳＡ測定値を有する請求項１３記載のゴルフクラブヘッド。
【請求項１５】
上記ゴルフクラブヘッドは約２５ｍｍおよび約４０ｍｍの間のＣＧ−Ｚ測定値を有する請求項１４記載のゴルフクラブヘッド。
【請求項１６】
上記ゴルフクラブヘッドは約２６ｍｍおよび約３８ｍｍの間のＣＧ−Ｚ測定値を有する請求項１５記載のゴルフクラブヘッド。
【請求項１７】
上記ゴルフクラブヘッドは約２７ｍｍおよび約３６ｍｍの間のＣＧ−Ｚ測定値を有する請求項６記載のゴルフクラブヘッド。
【請求項１８】
上記ゴルフクラブヘッドは、さらに、ヒールおよびトウの配向に沿って上記ゴルフクラブヘッドの中央部分の近くに、上記フェース中心に実質的に揃って、当該フェース中心の後方に、かつ、上記第１の重み付け部材の後方に位置付けられた第２の重み付け部材を有する請求項１１記載のゴルフクラブヘッド。
【請求項１９】
上記前面部分は第１の比重を有する第１の材料から製造され、
上記背面部分は第２の比重を有する第２の材料から製造され、
上記第１の重み付け部材および上記第２の重み付け部材はともに第３の比重を有する第３の材料から製造され、
上記第３の比重は上記第１及び上記第２の比重より大きい請求項１８記載のゴルフクラブヘッド。
【請求項２０】
上記第１の比重は上記第２の比重より大きい請求項１９記載のゴルフクラブヘッド。
【発明の詳細な説明】
【技術分野】
【０００１】
この発明は、全体としては、改善された重心（ＣＧ）位置と組み合わされた改善された慣性モーメント（ＭＯＩ）特性を有する新規で改善されたゴルフクラブに関する。より具体的には、この発明によるゴルフクラブヘッドは、Ｚ軸周りの比較的小さい慣性モーメントＭＯＩ（ＭＯＩ−Ｚ）、シャフト軸周りの小さいＭＯＩ（ＭＯＩ−ＳＡ）を、ＸおよびＹ軸の周りの大きいＭＯＩ（ＭＯＩ−ＸおよびＭＯＩ−Ｙ）とすべて組み合わせて達成し、ＸＹ平面（ＣＧ−Ｂ）に沿ったホーゼル軸に接する方向に沿って測定された比較的小さいＣＧ位置を一貫して維持する。
【背景技術】
【０００２】
現代の特大のメタルウッドの開発により、これらのタイプのゴルフクラブの性能は、その全世代である「パーシモンの木」よりも劇的に向上した。これらのメタルウッドタイプのゴルフクラブが全体距離の増加の点において以前のモデルよりも優れたパフォーマンスを発揮する手法の１つは、一般にこれらのメタルウッドで使用される薄い金属材料の固有の弾性変形に起因する。メタルウッドタイプのゴルフクラブが全世代よりも優れているもう１つの手法は、ゴルフクラブヘッド自体のＭＯＩの増加に起因する、ゴルフクラブヘッドの全体的な寛容性の向上である。
【０００３】
ゴルフクラブヘッドのＭＯＩは、一般に、二次物体との衝突時に回転運動に抵抗する物体の能力を説明するために使用される用語である。ゴルフクラブヘッドの場合、ＭＯＩはゴルフボールとの衝突時に望ましくない捻じれに抵抗するゴルフクラブヘッドの能力を指し、そのため、捻じれ運動は、一般的には、ゴルフクラブヘッドのフェース角度をターゲットラインから変化させ、ゴルフボールを意図したターゲットから遠ざける。
【０００４】
米国特許第５，３５４，０５５号（ＭａｃＫｅｉｌ）は、重心（ＣＧ）位置を後方に配置することによりゴルフクラブヘッドのＭＯＩを増加させる最も初期の試みの１つを示している。米国特許第６，３６４，７８８号（Ｈｅｌｍｓｔｅｔｔｅｒら）は、ゴルフクラブヘッドのＭＯＩを制御するのに役立つウエイト部材の利用を示している。これらの特許はどちらもゴルフクラブヘッドのＭＯＩ−ｙに関するものであり、ヒールとトウの方向で中心から外れた衝撃に遭遇したときにゴルフクラブヘッドが安定した状態を保つ能力に関するものである。
【０００５】
米国特許第７，８５０，５４２号（Ｃａｃｋｅｔｔ等）は、さまざまなＭＯＩのさまざまな回転軸を認識するＭＯＩ研究のさらなる発展を示す（代替的にはＭＯＩ−Ｘ、ＭＯＩ−Ｙ、およびＭＯＩ−Ｚの代わりにＩｘｘ、Ｉｙｙ、およびＩｚｚとしても知られている）。ＭＯＩ値の違いの認識と識別にもかかわらず、米国特許第７，８５０，５４２号は、ＩｘｘおよびＩｙｙ（現在の参照命名法に適応および変更）のみに注目し、最後のＭＯＩ番号、Ｉｚｚ、またはＭＯＩ−ＳＡの重要性、およびそれらがゴルフクラブのパフォーマンスに与える影響を認識していない。
【０００６】
上述にもかかわらず、いずれの参考文献も、ゴルフクラブヘッドのＭＯＩのフェースの水平前方および後方（ＭＯＩ−Ｚ）の重要性、および、ＭＯＩ−Ｚ値をより最適化し、さらにＭＯＩ−Ｓａ値を最小化したゴルフクラブの性能特性を利用するゴルフクラブの設計方法を認識していない。さらに、ＭＯＩ−Ｚ値を詳細に検討すると、上述のＭＯＩ−Ｚ値と関連して、より高いパフォーマンスを実現するＣＧ位置が得られる。したがって、上述から、ＭＯＩ−ＺおよびＭＯＩ−ＳＡならびにＣＧの位置の重要性を検討し、ゴルフクラブヘッドを設計することにより、より良いパフォーマンスを実現するゴルフクラブのさらなる研究と設計が必要であることがわかる。
【先行技術文献】
【特許文献】
【０００７】
【特許文献１】米国特許第５，３５４，０５５号明細書
【特許文献２】米国特許第６，３６４，７８８号明細書
【特許文献３】米国特許第７，８５０，５４２号明細書
【発明の概要】
【０００８】
この発明の一側面は、以下のゴルフクラブヘッドであり、このゴルフクラブヘッドは：フェース中心を定義するのを支援する打撃フェースをさらに有し、当該ゴルフクラブヘッドの前方部分に位置付けられた前面部分と；上記打撃フェースの後方に位置付けられた背面部分と；ヒールおよびトウの配向において上記ゴルフクラブヘッドの中央部分の近くに、上記フェース中心に実質的に揃って、当該フェース中心の後方に位置付けられた少なくとも１つの第１の重み付け部材とを有し；ｘ−軸は、上記打撃フェースの幾何中心に接して、上記ゴルフクラブヘッドのヒールに向かって正方向となる水平軸として定義され、ｙ−軸は上記ｘ−軸と直交し、上記ゴルフクラブヘッドのクラウンに向かって正方向となる水平軸であり、ｚ−軸は上記ｘ−軸および上記ｙ−軸の双方と直交し、上記ゴルフクラブヘッドの上記前面部分に向かって正方向となり、上記ゴルフクラブヘッドは、約１．５０より大きなＭＯＩ−Ｚに対するＭＯＩ−Ｙの比を有する。
【０００９】
この発明の他の側面は、以下のゴルフクラブヘッドであり、このゴルフクラブヘッドは：フェース中心を定義するのを支援する打撃フェースをさらに有し、当該ゴルフクラブヘッドの前方部分に位置付けられた前面部分と；上記打撃フェースの後方に位置付けられた背面部分と；ヒールおよびトウの配向において上記ゴルフクラブヘッドの中央部分の近くに、上記フェース中心に実質的に揃って、当該フェース中心の後方に位置付けられた少なくとも１つの第１の重み付け部材とを有し；ｘ−軸は、上記打撃フェースの幾何中心に接して、上記ゴルフクラブヘッドのヒールに向かって正方向となる水平軸として定義され、ｙ−軸は上記ｘ−軸と直交し、上記ゴルフクラブヘッドのクラウンに向かって正方向となる水平軸であり、ｚ−軸は上記ｘ−軸および上記ｙ−軸の双方と直交し、上記ゴルフクラブヘッドの上記前面部分に向かって正方向となり、上記ゴルフクラブヘッドは、以下の式：
（ＭＯＩ−Ｘ）／（ＭＯＩ−Ｚ）≧（６．７５０１×ＣＧ−Ｚ）−９９．３０
を満たすＭＯＩ−Ｘ、ＭＯＩ−Ｚ、およびＣＧ−Ｚの数を有する。
【００１０】
この発明のこれらの、または、他の特徴、側面、利点は以下の、図面、明細書および特許請求の範囲を参照してより良好に理解されるであろう。
【図面の簡単な説明】
【００１１】
この発明の先の、または他の特徴および利点は添付図面において説明されるように以下のこの発明の説明から明らかであろう。添付図面は、ここに組み込まれ、明細書の一部を形成し、さらにこの発明の原理を記述し、当業者がこの発明を実施し、または利用できるようになす。
【００１２】
【図１】添付図面の図１は、この発明の事例的な実施例に従うゴルフクラブヘッドの斜視図を示す。
【図２】添付図面の図２は、この発明の事例的な実施例に従うゴルフクラブヘッドの平面図を示す。
【図３】添付図面の図３は、この発明の事例的な実施例に従うゴルフクラブヘッドの正面図を示す。
【図４】添付図面の図４は、この発明のＭＯＩ−Ｚ対ＭＯＩ−Ｙの数のプロットを、従来のゴルフクラブヘッドと比較して示す。
【図５】添付図面の図５は、この発明のＭＯＩ−Ｚ対ＭＯＩ−シャフト軸の数のプロットを、従来のゴルフクラブヘッドと比較して示す。
【図６】添付図面の図６は、この発明のＭＯＩ−Ｙ対ＭＯＩ−シャフト軸の数のプロットを、従来のゴルフクラブヘッドと比較して示す。
【図７】添付図面の図７は、この発明のＭＯＩ−Ｘ対ＭＯＩ−シャフト軸の数のプロットを、従来のゴルフクラブヘッドと比較して示す。
【図８】添付図面の図８は、この発明のＭＯＩ−Ｚ対ＧＧ−Ｂ／フェース幅の数のプロットを、従来のゴルフクラブヘッドと比較して示す。
【図９】添付図面の図９は、この発明のＭＯＩ−Ｚ対ＧＧ−Ｂ／ヘッド幅の数のプロットを、従来のゴルフクラブヘッドと比較して示す。
【図１０】添付図面の図１０は、この発明のＭＯＩ−Ｘ／ＭＯＩ−Ｚ対ＧＧ−Ｚの数のプロットを、従来のゴルフクラブヘッドと比較して示す。
【図１１】添付図面の図１１は、この発明のＭＯＩ−Ｙ／ＭＯＩ−Ｚ対ＧＧ−Ｚの数のプロットを、従来のゴルフクラブヘッドと比較して示す。
【図１２】添付図面の図１２は、この発明の（ＭＯＩ−Ｘ＋ＭＯＩ−Ｙ）／ＭＯＩ−Ｚ対ＧＧ−Ｚの数のプロットを、従来のゴルフクラブヘッドと比較して示す。
【図１３】添付図面の図１３は、この発明の事例的な実施例に従うゴルフクラブヘッドの分解ソール側斜視図を示す。
【図１４】添付図面の図１４は、この発明の事例的な実施例に従うゴルフクラブヘッドの水平断面図を示す。
【図１５】添付図面の図１５は、この発明の事例的な実施例に従うゴルフクラブヘッドの垂直断面図を示す。
【図１６】添付図面の図１６は、この発明の代替的な実施例に従うゴルフクラブヘッドの斜視図を示す。
【図１７】添付図面の図１７は、この発明の代替的な実施例に従うゴルフクラブヘッドの平面図を示す。
【図１８】添付図面の図１８は、この発明の代替的な実施例に従うゴルフクラブヘッドの正面図を示す。
【図１９】添付図面の図１９は、この発明の代替的な実施例に従うゴルフクラブヘッドの水平断面図を示す。
【図２０】添付図面の図２０は、この発明の代替的な実施例に従うゴルフクラブヘッドの垂直断面図を示す。
【発明を実施するための形態】
【００１３】
以下の詳細な説明は、この発明を実施する現行の最良形態を記述する。この説明は限定的な意味に解釈されるべきでなく、この発明の全般的な原理を説明する目的でのみなされており、この発明の範囲は添付の特許請求の範囲によりもっともよく定義されている。
【００１４】
種々の発明の特徴が以下に説明され、各特徴は他の独立に、または他と組み合わせて使用することができる。ただし、いずれの単一の発明の特徴も先に検討した問題のいずれも、またはそのすべてに対処しないかもしれず、また、先に検討した問題の１つに対処するだけかもしれない。さらに、先に検討した問題の１つまたは複数が、いかに説明される特徴のいずれによっても十分に対処されないかもしれない。
【００１５】
この発明のゴルフクラブヘッドおよびその性能基準に関する議論を始める前に、ここでは、以下の議論は、性能数値を適切に評価するために重要な座標系１０１および測定軸に基づいていることに留意することが重要である。したがって、以下の測定に与えられた特定の名前はこの発明の理解にとって重要であるが、以下の測定のために付与される具体的な名称はこの発明を理解する上で重要であるけれども、命名法は孤立して判断されるべきではないことを、ここで認識することが重要である。むしろ、以下に示す数値は、座標系がゴルフクラブヘッド自体にどのように関連するかを考慮して把握する必要があるということが重要である。あいまいさを避けるために十分な情報を提供するために、ゴルフクラブヘッドを参照する以下の各図には、すべて互いに一貫した座標系が付与される。
【００１６】
上述に従って、また、以降の議論のための基準座標系を確立するために、添付図面の図１は、この発明の様々な測定値および性能数を定義するために使用される座標系１０１を示している。この議論で使用されているｘ−軸は、ヒールからトウへの方向で打撃フェースに対して水平な軸を指す。この議論で使用されるｙ−軸は、クラウンからソールへの方向でクラブを通る垂直軸を指す。この議論で使用されているｚ−軸は、前方から後方へ向かう前後方向に水平な水平軸を指す。換言すると、ｘ−軸はゴルフクラブヘッドのヒールに向かって正の方向を持つ打撃フェースの幾何学的中心に接する水平軸として定義でき、ｙ−軸はｘ−軸に直交する水平軸であり、ゴルフクラブヘッドのトップに向かって正の方向を持ち、ｚ−軸は、ゴルフクラブヘッドの前に向かって正の方向を持つ、ｘ−軸とｙ−軸の両方に直交する。上述のｘ−ｙ−ｚ座標系は、以降のすべての議論で同じである。
【００１７】
添付図面の図１は、この発明の実施例に従うゴルフクラブヘッド１００の斜視図を示す。図１に示す斜視図において、ゴルフクラブヘッド１００は、他のゴルフクラブヘッドとあまり変わらないように見えるかもしれないけれども、後続の図および議論は、このゴルフクラブヘッド１００の内部構成要素および材料特性により、この発明から予想される固有の性能特性を実現できる。図１は、打撃フェースインサートを含むゴルフクラブヘッド１００の前面部分１０４のフェース中心１０２の位置を示している。ここに示され、この発明によって言及されるフェース中心は、ゴルフクラブ業界の当業者に広く知られているように、ＵＳＧＡが提供するフェース中心テンプレートによって測定される、ゴルフクラブヘッド１００の打撃フェース部分の幾何学的中心に関する。前面部分１０４の後部は、背面部分１０６に取り付けられ、これが、ゴルフクラブヘッド１００の後端を構成する。
【００１８】
この発明のこの実施例において、前面部分１０４は、一般的に、約７．７５ｇ／ｃｃと約８．００ｇ／ｃｃの間の密度を有するスチールタイプの材料から製造されて良く、ゴルフクラブヘッド１００の質量のかなりの部分が、ゴルフクラブヘッド１００の前方底部領域に集中することを可能にする。この発明のこの実施例において、ゴルフクラブヘッド１００の背面部分１０６は、約４．００ｇ／ｃｃ〜約５．００ｇ／ｃｃの間の密度を有する標準的なチタン材料から一般的に製造されて良く、ゴルフクラブヘッド１００の背面部分１０６を比較的軽量にすることができる。ただし、この発明の代替的な実施例において、前面部分１０４は、ＴＩ−６−４、Ｔｉ−８−１−１、ＳＰ−７００のような標準的なチタン材料、または任意の他のタイプのチタン材用から製造されて良く、これは、この発明の範囲および内容から逸脱しない。
【００１９】
添付図面の図２および図３は、ゴルフクラブヘッド１００のより具体的な特徴を説明するためのであり、これらは、その改善された性能を決定するのに重要となるゴルフクラブヘッド２００の特定の固有の特徴のいくつかに関するさらなる洞察を与える。まず、添付図面の図２は、前面部分２０４および背面部分２０６を有するゴルフクラブヘッド２００を示すことに加えて、座標系２０１におけるｘ−ｚ平面に沿った重心（ＣＧ）２１０の位置も示している。ＣＧ位置の詳細は、ゴルフクラブヘッド２００の慣性特性に関連してより詳細に説明されるけれども、この発明のゴルフクラブヘッド２００の一般的な方向性は、ゴルフクラブヘッド２００の前面部分から戦略的に後方から離れた位置にあるＣＧ位置を有することであり、これにより、最も有利な結果をもたらす。
【００２０】
より具体的には、この発明においては、ここでＣＧ−Ｚとして識別される打撃フェースから後方のＣＧ位置は、一般に約２５ｍｍ〜約４０ｍｍ、より好ましくは約２６ｍｍ〜約３８ｍｍであり、最も好ましくは、約２７ｍｍ〜約３６ｍｍであり、すべて座標系２０１によって示されるＺ軸に沿ってフェース中心２０２から後方に測定される。ＣＧ−Ｚ２１２の数値を示すことに加えて、距離を測定する代替的な測定方法が提供される。この代替方法では、ＣＧ２１０はシャフト軸２１５から測定され、この測定は、ＣＧ−Ｃ２１４が一般に約１０ｍｍ〜約２５ｍｍ、より好ましくは約１２ｍｍ〜約２３ｍｍ、最も好ましくは約１４ｍｍ〜約２１ｍｍであり、すべて、座標系２０１によって示されるＺ軸に沿ってシャフト軸２１５から後方に測定される。
【００２１】
フェース中心２０２から測定されるかシャフト軸２１５から測定されるかに関係なく、Ｚ軸に沿った後方のＣＧ２１０位置の戦略的位置は、この発明のゴルフの適切な機能にとって重要であることに留意されたい。ＣＧ２１０の位置が非常に前方にある場合、ゴルフクラブヘッド２００は、望ましい結果を得るためにゴルフボールと接触するときに、ＭＯＩ−ＸおよびＭＯＩ−Ｙが低くなり、バックスピンも低くなる。しかしながら、代替的には、ＣＧ２１０の位置が後方に遠すぎる場合、ゴルフクラブヘッド２００は非常に多くのスピンを生成してしまい、望ましい結果をもたらさない可能性がある。それゆえ、Ｚ軸に沿った後方のＣＧ位置の臨界点は、その範囲から外れるとゴルフクラブヘッド２００の性能を著しく妨げる可能性がある非常に特定の数値範囲の微妙なバランスであることが分かる。
【００２２】
添付図面の図３は、この発明の適切な機能にとって不可欠な別の重要なＣＧ２１０測定値を示している。より具体的には、図３は、先に示したゴルフクラブヘッド２００の基本的な構成要素のすべてを示すことに加えて、座標系３０１によって示されるｘ−ｙ平面に沿ったシャフト軸２１５からのＣＧ２１０の位置の別の測定値を導入する。図３は、本出願においてはＣＧ−Ｂと呼ばれる実際のシャフト軸２１５自体から離れたこのｘ−ｙ平面に沿ってシャフト軸２１５に垂直なＣＧ２１０の測定値を示す。ゴルフクラブヘッド２１０のＣＧ−Ｂは、一般に約３２ｍｍ〜約３９ｍｍ、より好ましくは約３３ｍｍ〜約３８ｍｍ、最も好ましくは約３５ｍｍであって良い。
【００２３】
添付図面の図３は、ゴルフクラブヘッドの非常に重要なＣＧ−Ｂ測定値を示すことに加えて、ゴルフクラブヘッド２００自体の幅およびゴルフクラブヘッド２００のフェースの幅をそれぞれ示す測定値Ｗ１およびＷ２も示している。この発明のこの実施例において、ゴルフクラブヘッドＷ１の幅は一般に約１３０ｍｍ〜約１４０ｍｍ、より好ましくは約１３２ｍｍ〜約１３８ｍｍ、最も好ましくは約１３６ｍｍであって良い。フェースの幅Ｗ２は、一般に約９５ｍｍ〜約１０５ｍｍの間、より好ましくは約９７ｍｍ〜約１０３ｍｍの間、最も好ましくは約１００ｍｍであって良い。
【００２４】
今までに、ゴルフクラブヘッド２００のＣＧ位置が定義された。この発明に関連する他の重要な特徴は、ゴルフクラブヘッド２００の慣性モーメント（ＭＯＩ）に関する。ゴルフクラブヘッドのＭＯＩは、一般に、前述のＣＧ位置と整列していない位置で物体に衝突したときに、ゴルフクラブヘッドがねじれに抵抗する能力を示す。より具体的には、ゴルフクラブヘッドのＭＯＩは、ゴルフクラブヘッドのＣＧ位置に対するねじれに抵抗する能力に関する。ゴルフクラブヘッド２００のＭＯＩは、一般に、３つの異なる軸に沿った回転に抵抗するゴルフクラブヘッド２００の能力に関連する３つの固有の構成要素に分解されて良い。ＭＯＩが一般的に参照される３つの回転軸は、座標系１０１、２０１、および３０１（それぞれ図１、図２、および図３に示されている）と一致する。
【００２５】
前述の議論がすでに示唆したように、この発明のゴルフクラブヘッド２００は、一般に、Ｘ−軸およびＹ軸周りのＭＯＩについて大きい値を有し、Ｚ軸周りの小さいＭＯＩを維持して良い。より具体的には、この発明のゴルフクラブヘッド２００は、一般に、約３００ｋｇ−ｍｍ２よりも大きい、より好ましくは約３１０ｋｇ−ｍｍ２よりも大きい、最も好ましくは約３２０よりも大きいＭＯ軸周りのＭＯＩ（ＭＯＩ−Ｘ）を有し、これはこの発明の範囲および内容から逸脱しない。Ｙ軸周りのＭＯＩ（ＭＯＩ−Ｙ）に関しては、この発明のゴルフクラブヘッド２００は、一般に、約４００ｋｇ−ｍｍ２よりも大きい、より好ましくは約４１０ｋｇ−ｍｍ２よりも大きい、最も好ましくは約４２０ｋｇ−ｍｍ２よりも大きいＹ軸周りのＭＯＩを有して良く、これはこの発明の範囲および内容から逸脱しない。
【００２６】
上述のＸおよびＹ軸の周りの大きなＭＯＩ数は、ゴルフクラブ２００の設計業界では必ずしも新しいものではないけれども、Ｚ軸周りのＭＯＩ（ＭＯＩ−Ｚ）を減少させ、かつシャフト軸周りのＭＯＩ（ＭＯＩ−ＳＡ）を最小値に維持しながら、それらの数を大きいものに維持する能力は、この発明によって実現されることである。ゴルフ業界の大部分は、ＭＯＩ−Ｙを天文学的な数にまで増やそうとすることで、ゴルフクラブヘッド２００がオフ中心の打撃に寛容になることを実現する能力に非常に熱心に注意を向けているけれども、ゴルフクラブヘッド２００が、シャフト軸周りのＭＯＩ（ＭＯＩ−ＳＡ）の最小化に加えてＺ軸周りのＭＯＩ（ＭＯＩ−Ｚ）を減少させることにより、より多くのクラブヘッド速度とより多くのボール速度を実現できることについては認識していない。するゴルフクラブヘッド２００の。この発明は、その非常に特別な、認識されていない特性に注意を集中し、Ｚ軸周りのＭＯＩに焦点を当てることによりゴルフクラブヘッド２００の性能を最大化し、有益なものにするゴルフクラブヘッド２００を開発した。より具体的には、この発明に従うゴルフクラブヘッド２００は、一般に、約２６８ｋｇ−ｍｍ２未満、より好ましくは約２６０ｋｇ−ｍｍ２未満、最も好ましくは約２５０ｋｇ−ｍｍ２未満のＺ軸周りのＭＯＩを有して良い。加えて、ゴルフクラブヘッド２００は、一般に、シャフト軸の周りに約８５０未満のＭＯＩを有して良い。
【００２７】
ここで、上述の小さなＭＯＩ−Ｚ数は、それ自体ではこの発明を正確に描写し説明できないことに留意すべきである。接地部分がはるかに小さい旧式のゴルフクラブヘッドは、小さなＭＯＩ−ＸおよびＭＯＩ−Ｙ数と組み合わされた小さなＭＯＩ−Ｚ数が本質的に有する可能性があるためである。したがって、この発明は、ＭＯＩ−ＺおよびＭＯＩ−ＳＡに関連し、ＣＧ位置と組み合わせて、ＭＯＩ−ＸおよびＭＯＩ−Ｙ番号によって達成される、先に明瞭にした種々の数値の間の相互関係に基づいていることを認識することが、ここで重要である。
【００２８】
この発明の本質を捉えるために、ＭＯＩ−Ｘ、ＭＯＩ−Ｙ、およびＭＯＩ−Ｚの間に比率を生成して、この関係を定量化する１つの方法を提供するのを支援することができる。最初の１つの例では、ＭＯＩ−Ｘ対ＭＯＩ−Ｚの比を生成して、現在のゴルフクラブヘッド２００の定量化を支援することができ、これは以下の式（１）に示される。この発明の例示的な一実施例において、ＭＯＩ−Ｘ対ＭＯＩ−Ｚ比は、約１．１０よりも大きく、より好ましくは約１．２０よりも大きく、最も好ましくは約１．２８よりも大きい。
ＭＯＩ−Ｘ対ＭＯＩ−Ｚ比＝（ＭＯＩ−Ｘ）／（ＭＯＩ−Ｚ）        式（１）
同様に、ＭＯＩ−Ｙ対ＭＯＩ−Ｚ比と呼ばれる、匹敵する比を確立して、このゴルフクラブヘッド２００を定量化することができ、これは以下の式（２）によって示される。この発明の例示的な一実施例において、ＭＯＩ−Ｙ対ＭＯＩ−Ｚの比は、約１．５０よりも大きく、より好ましくは約１．５７よりも大きく、最も好ましくは約１．６８よりも大きい。
ＭＯＩ−Ｙ対ＭＯＩ−Ｚ比＝（ＭＯＩ−Ｙ）／（ＭＯＩ−Ｚ）        式（２）
【００２９】
上述の式（１）および（２）によって確立された関係から分かるように、この発明は、Ｚ軸周りのＭＯＩ−Ｚを最小化し、それでいて大きなＭＯＩ−Ｙを維持することに焦点をある、ゴルフクラブヘッド２００のＭＯＩの特別な関係に関する。これをさらに説明するために、この関係のグラフ表示が図４に示すように提供される。
【００３０】
添付図面の図４は、様々なゴルフクラブヘッドの様々なデータポイントのプロットを、それぞれのＭＯＩ−Ｚ数、ならびにそれらのＭＯＩ−Ｙ数で示している。図４において、Ｘ−軸はＭＯＩ−Ｙを表し、Ｙ−軸はＭＯＩ−Ｚを表す。図４に示されたデータポイントは円形の点およびアスタリスクに分けられている。円形の点は「従来技術」のゴルフクラブヘッドのデータを表しているのに対して、アスタリスクのデータポイントはこの発明を表している。
【００３１】
先行技術のデータポイントを詳細に調べると、ＭＯＩ−Ｙ数が４２０ｋｇ−ｍｍ２より大きな現代的なゴルフクラブヘッドについては、先行技術のゴルフクラブヘッドは、どれも、２６８ｋｇ−ｍｍ２未満のＭＯＩ−Ｚ数を達成できないことが示される。ただし、図４のグラフをさらに詳しく調べると、ゴルフクラブヘッドのＭＯＩ−Ｙ数が５００ｋｇ−ｍｍ２を超えると、最適なＭＯＩ−Ｚ対ＭＯＩ−Ｙの関係を達成するこの発明の能力を定量化する追加の関係を確立できることがわかる。実際、その関係は図４においてＹ≦０．４７Ｘ＋３３として示されている。上述の２つの条件を組み合わせると、この発明を定量化する別のユニークな態様が得られ、ＭＯＩ−Ｙが４２０ｋｇ−ｍｍ２〜５００ｋｇ−ｍｍ２の間のゴルフクラブヘッドでは、ゴルフクラブヘッドのＭＯＩ−Ｚは一般に約２６８未満である。ただし、５００ｋｇ−ｍｍ２より大きいＭＯＩ−Ｙを有するゴルフクラブヘッドの場合、ゴルフクラブヘッドは、以下の式（３）を満たすＭＯＩ−Ｚを有して良い。
ＭＯＩ−Ｚ≦（０．４７×ＭＯＩ−Ｙ）＋０．３３        式（３）
代替的には、この発明の一実施例において、ゴルフクラブヘッド２００は、ＭＯＩ−Ｙ数が５００ｋｇ−ｍｍ２より大きければ、ＭＯＩ−Ｚ≦（０．４７×ＭＯＩ−Ｙ）＋０．３３の関係を満たすＭＯＩ−Ｚを有し、ＭＯＩ−Ｙの数値が４２０ｋｇ−ｍｍ２〜５００ｋｇ−ｍｍ２の場合、ＭＯＩ−Ｚは２６８ｋｇ−ｍｍ２未満であるといえる。
【００３２】
添付図面の図５は、ＭＯＩシャフト軸（ＭＯＩ−ＳＡ）と名付けられた以前に議論されていないゴルフクラブヘッドに関連する別のＭＯＩ値を紹介します。シャフト軸に関するゴルフクラブヘッドのＭＯＩは、ゴルフクラブヘッドがシャフト軸と整列していない場所でゴルフボールと衝突したときのねじれに抵抗する能力として定義される。この発明によるゴルフクラブヘッドは、一般に、約８５０ｋｇ−ｍｍ２未満、より好ましくは約８００ｋｇ−ｍｍ２未満、最も好ましくは約７５０ｋｇ−ｍｍ２未満のＭＯＩ−ＳＡを有して良い。ＭＯＩ−ＳＡとＭＯＩ−Ｚとの間の関係は、図５において強調されており、これはこの発明にとって重要である。添付図面の図５は、ＭＯＩ−ＳＡ数に関係なく、従来技術のゴルフクラブヘッドのすべてが約２６８ｋｇ−ｍｍ２より大きいＭＯＩ−Ｚを有する一方で、この発明のゴルフクラブヘッドのすべてが約２６８ｋｇ−ｍｍ２未満のＭＯＩ−Ｚを有することを示す。
【００３３】
添付図面の図６は、ゴルフクラブヘッドのＭＯＩ−Ｙと新たに導入されたＭＯＩ−ＳＡとの間のグラフ関係を確立している。図６に示されたグラフのより詳細に吟味すると、この発明は、比較的小さいＭＯＩ−ＳＡを維持しながら、平均より大きいＭＯＩ−Ｙを達成することができることがわかる。以前のプロットと同様に、プロット上の円形の点は従来のゴルフクラブヘッドを指し、アスタリスクはこの発明を指す。したがって、この発明は、式Ｙ≧０．５２Ｘ＋１４７により区画される、いままで実現されたいなかった領域を占め、このプロットで使用される変数との関連で、以下の式（４）で表される。
ＭＯＩ−Ｙ≧（０．５２×ＭＯＩ−ＳＡ）＋１４７        式（４）
【００３４】
添付図面の図７は、ゴルフクラブヘッドのＭＯＩ−Ｘと、今では容易に理解できるＭＯＩ−ＳＡとの間のグラフ関係を確立している。図７に示されたグラフをより詳細に吟味すると、この発明は、比較的小さいＭＯＩ−ＳＡを維持しながら、平均より大きなＭＯＩ−Ｘを実現できることがわかる。したがって、この発明は、このプロットで使用される変数との関連において、式Ｙ≧０．４０ｘ＋５０で表される、以前に達成されなかった空間を占めることがわかる。
ＭＯＩ−Ｘ≧（０．４０×ＭＯＩ−ＳＡ）＋５０      式（５）
【００３５】
添付図面の図８は、ゴルフクラブヘッドのＭＯＩ−ＺとＣＧ−Ｂ／フェース幅の比との間のグラフ関係を確立する。ＣＧ−Ｂおよびフェース幅の両方の測定値は、添付図面の図３、並びに、添付の段落［００２２］および［００２３］の議論に見出せる。ＣＧ−Ｂ測定値は、図３に明示的に示されており、他方、図８のチャートにおいて参照されるフェース幅はＷ２として示される。図８に示されたグラフをより詳細に吟味すると、この発明がより小さいＭＯＩ−Ｚを達成できる一方で、ＣＧ−Ｂ／フェース幅の数を０．４以上でかなり一定に維持できることがわかる。ＣＧ−Ｂ／フェース幅の比は、適度なフェースサイズのゴルフクラブヘッドを維持する、重心の位置を示す。
【００３６】
図８に示すチャートにおいて、この発明は、式Ｙ≦１０００ｘ−１５０によって表される以前に達成されなかった空間を占めることが分かる。このプロットで使用される変数との関連において以下の式（６）で表される。
ＭＯＩ−Ｚ≦（１０００×（ＣＧ−Ｂ／フェース幅））−１５０      式（６）
【００３７】
添付図面の図９は、ゴルフクラブヘッドのＭＯＩ−ＺとＣＧ−Ｂ／ヘッド幅の比との間のグラフ関係を確立する。ＣＧ−Ｂおよびヘッド幅の両方の測定値は、添付図面の図５、並びに、添付の段落［００２２］および［００２３］の先の議論に見出せる。ＣＧ−Ｂ測定値は、図３に明示的に示されており、図９のチャートによって参照されるヘッド幅は、Ｗ１として示される。図９に示されたグラフをより詳細に吟味するとこの発明が、より小さなＭＯＩ−Ｚを達成できる一方で、ＣＧ−Ｂ／ヘッド幅の数値を０．３４よりかなり上に維持できることがわかる。ＣＧ−Ｂ／ヘッド幅の比は、ゴルフクラブヘッドの適度なサイズのヘッド幅を維持する、重心の位置を示す。
【００３８】
図９に示すチャートにおいて、この発明は、ＣＧ−Ｂ／ヘッド幅の比の数値を約０．３４より大きくし、ＭＯＩ−Ｚの数を３２０ｋｇ−ｍｍ２より小さくする、以前には実現できなかった領域を占める。
【００３９】
添付図面の図１０は、この発明の実施例に従うゴルフクラブの性能の別のグラフ関係を確立する。より具体的には、添付図面の図１０は、ＭＯＩ−Ｘ／ＭＯＩ−ＺとＣＧ−Ｚとの関係を示す（ＭＯＩ−ＸはＩｘｘと交換可能に使用され、ＭＯＩ−ＹはＩｙｙと交換可能に使用され、最後にＭＯＩ−ＺはＩｚｚと交換可能に使用される）。ゴルフクラブヘッドのＣＧ−Ｚの定義と測定については、添付図面の図２に関連する先の検討に見いだされ、ＭＯＩ−ＸおよびＭＯＩ−Ｚを確立する背景情報については、すでに前述したとおりである。Ｘ軸とＹ軸のプロットの選択は、ゴルフクラブの設計に精通していない人には最初はランダムに見えるかもしれないけれども、詳細に調べると、ここで作成された関係がこの発明の適切な性能にとって絶対に重要であることがわかる。図１０に示されたプロットのＹ軸において、ＭＯＩ−ＸとＭＯＩ−Ｚとの間の比がここで作成される。作成されたこの比は、ある変数の値（ＭＯＩ−Ｘ）を最大化する一方で、別の変数の値（ＭＯＩ−Ｚ）を最小化するこの発明のゴルフクラブヘッドの能力を示しており、これは、この発明のテーマと合致する。図１０に示されるプロットのＸ軸で使用されるＭＯＩ−Ｚは、図１０は、ゴルフクラブヘッドの前方から後方へのゴルフクラブヘッドのＣＧ位置を示しており、それを上述の範囲に維持することが望ましい。
【００４０】
図１０に示されるプロットをさらに吟味すると、この発明が以前に達成されなかったグラフの一部を占めることがわかる。グラフのこの部分は、方程式Ｙ≧６．７５０１ｘ−９９．３によって他の先行技術のデータポイントから区分けされ式（７）に示される。
ＭＯＩ−Ｘ／ＭＯＩ−Ｚ≧（６．７５０１×ＣＧ−Ｚ）−９９．３０        式（７）
【００４１】
添付図面の図１１は、ＭＯＩ−Ｙ／ＭＯＩ−ＺとＣＧ−Ｚとの間の関係を形成することにより、この発明の実施例に従うゴルフクラブの別のグラフ関係を確立する。ゴルフクラブヘッドのＣＧ−Ｚの定義および測定値は、添付図面の図２に関する以前の議論で見つけることができる。ＭＯＩ−ＹおよびＭＯＩ−Ｚを確立する背景情報はすでに以前に議論された。先の議論と同様に、ＭＯＩ−ＹとＭＯＩ−Ｚの関係は、ゴルフクラブヘッドがＭＯＩ−Ｚを最小限に抑えながらＭＯＩ−Ｙ軸に沿う大きな許容度を実現できることを示し、これは、より大きなボール速度を実現する。先の議論と同様に、添付図面の図１１は、この発明が以前に達成されなかった性能特性を達成できることを示している。グラフのこの部分は、方程式Ｙ≧１１．３４９ｘ−１７５．７６によって他の従来技術のデータポイントから区分けされ、このプロットで使用される変数との関連で考えると、式（８）に示すとおりである。
ＭＯＩ−Ｙ／ＭＯＩ−Ｚ≧（１１．３４９×ＣＧ−Ｚ）−１７５．７６        式（８）
【００４２】
添付図面の図１２は、（ＭＯＩ−Ｘ＋ＭＯＩ−Ｙ）／ＭＯＩ−ＺとＣＧ−Ｚとの関係を形成することにより、この発明の実施例に従うゴルフクラブの別のグラフ関係を確立する。ゴルフクラブヘッドのＣＧ−Ｚの定義および測定値は、図２に関する以前の議論で見つけることができる。ＭＯＩ−Ｘ、ＭＯＩ−Ｙ、およびＭＯＩ−Ｚを確立する背景情報については、すでに前述したとおりである。先の検討と同様に、ＭＯＩ−Ｘ、ＭＯＩ−Ｙ、およびＭＯＩ−Ｚの関係は、ゴルフクラブがＭＯＩ−ＸおよびＭＯＩ−Ｙ軸の両方に沿って大きな許容度を実現しつつ、ゴルフクラブヘッドのＭＯＩーＺを最小化してより大きなボール速度を実現できることを示す。先の議論と同様に、添付図面の図１２は、この発明が以前に達成されなかった性能特性を達成できることを示している。グラフのこの部分は、方程式Ｙ≧１８．６７ｘ−２９６．６３によって他の従来技術のデータポイントから区分けされ、このプロットで使用される変数との関連で以下の式（９）に示される。
（ＭＯＩ−Ｘ＋ＭＯＩ−Ｙ）／ＭＯＩ−Ｚ≧（１８．６７×ＣＧ−Ｚ）−２９６．６３      式（９）
【００４３】
図１３〜図１５は、上述の性能特性を達成するために使用されるゴルフクラブヘッドおよびそれらの内部構成要素の種々の分解図および断面図を示す。図１３は、前述の性能特性を達成できるゴルフクラブヘッド１３００の例示的な設計の分解斜視図を示す。ゴルフクラブヘッド１３００は、図１において前面部分１３０４および背面部分１３０６の用語で先に検討した必須の構成要素から作られている。しかしながら、ゴルフクラブヘッド１３００の分解図は、追加の構成要素をより詳細に示すことを可能にする。より具体的には、図１３は、ゴルフクラブヘッド構造の場合によくあることであるが、前面部分１３０２が、ゴルフクラブヘッド１３００の打撃部分を形成するための打撃フェースインサート１３２０と呼ばれる別個の構成要素からさらに構成され得ることを示す。ゴルフクラブヘッド１３００のより大きなＭＯＩ−Ｙ、より大きなＭＯＩ−Ｘ、およびより小さなＭＯＩ−Ｚの上述の性能値を達成するために、かなりの量の質量がゴルフクラブヘッドの中心に向かって周囲から離れて再割り当てされる。これを達成するために、この発明は、前面部分１３０２または背面部分１３０６よりも大きな密度を有する高密度材料からすべて構成される４つの重み付け部材を利用する。４つの重み付け部材は、前面ソールウエイト１３２２、前面内部ウエイト１３２４、背面内部ウエイト１３２６、および背面ソールウエイト１３２８に分割でき、これらの重み付け部材はすべて、一般に、１３ｇ／ｃｃより大きな、より好ましくは約１５ｇ／ｃｃより大きな、最も好ましくは約１７ｇ／ｃｃより大きな材料密度を有して良い。
【００４４】
この発明のこの例示的な実施例において、重み付け部材１３２２、１３２４、１３２６、および１３２８のすべてが、前述の同じ重密度を有する同じ材料で作られていることに留意されたい。しかし、この発明の代替的実施例において、この発明の範囲および内容から逸脱することなく、設計基準および所望のＣＧ位置に応じて、異なる重み付け部材に異なる密度のタングステンを使用することができる。
【００４５】
添付図面の図１４は、この発明の例示的実施例に従うゴルフクラブヘッド１４００の断面図を示す。ゴルフクラブヘッド１４００の断面図が当該ゴルフクラブヘッド１４００のフェースを横切る水平面に沿って示され、これが、ゴルフクラブヘッド１４００と様々な重み付け１４２２、１４２４、１４２６、および１４２８との間の関係のいくつかをより明瞭に示す。図１４に示されるゴルフクラブヘッド１４００の断面図は、重み付け部材に加えて、フェース中心１４０２およびＣＧ位置１４１０が重み付け部材に関連するときに、再度、導入することができる。この図から、少なくとも１つの重み付け部材が、ヒールからトウの方向でゴルフクラブヘッドの中央部分の近くに、そして実質的に前記フェース中心に整列してその後ろに配置されていることを理解されたい。
【００４６】
添付図面の図１５は、この発明の例示的実施例に従うゴルフクラブヘッド１５００をフェースの中心と徹垂直面に沿って断面した断面図を示す。図１５に示されるゴルフクラブヘッド１５００の断面図は、コンポーネント間の相互作用関係についてもう少し情報を提供する。より具体的には、図１５は、ゴルフクラブヘッド１５００の前面部分１５０４に位置する打撃フェースインサート１５２０を示している。図１５は、それに加えて、また、前面ソールウエイト１５２２が前面部分１５０４内に形成されたレセプタクル内に位置決めされていることを示す。図１５の断面図には示されていないけれども、前面内部ウエイトも前面部分１５０４に位置付けられている。前面部分１５０４の後方には、背面部分１５０６が取り付けられている。背面部分１５０６は、ゴルフクラブヘッド１５００の後部本体部分を構成し、背面内部ウエイト１５２６および背面ソールウエイト１５２８を含む。これらの重み付け部材は、前面部分１５０４および背面部分１５０６を形成するために使用される独特の材料と組み合わされて、ゴルフクラブヘッド１５００が前述の独特の性能特性を達成することを可能にする。
【００４７】
図１６〜図２０は、上述の性能目標を達成することができるこの発明の代替的実施例に従うゴルフクラブヘッド１６００の様々な斜視図および断面図を示す。図１〜図３並びに図１３〜図１５に示された先の実施例と同様に、たくさんの重み付け部材がゴルフクラブヘッド１６００の中心付近において、ｘ−軸に沿ったヒールからトウの向きで、フェース中心１６０２の後方で位置決めされて、ゴルフクラブヘッド１６００のＭＯＩ−Ｚを最小化するのを支援する。
【００４８】
より具体的には、添付図面の図１６は、この発明のこの代替的な実施例に係るゴルフクラブヘッド１６００の斜視図を示している。ゴルフクラブヘッド１６００の斜視図からはあまり多くのことを理解することはできないけれども、これは、この発明のこの特定の実施例に関する後の議論のための基礎をなす。最後に、図１６は、ゴルフクラブヘッドを示す前の図と同様に、以降の議論を導くための座標系１６０１を示す。
【００４９】
添付図面の図１７は、この発明の代替的実施例に従うゴルフクラブヘッド１６００の平面図を示す。この平面図において、精通している寸法がここに再び導入される。何よりもまず、図１７に示すゴルフクラブヘッド１６００の平面図によって、フェース中心１６０２とＣＧ１６１０との間の関係がより詳細に示される。Ｚ軸に沿って測定した場合、測定値ＣＧ−Ｚは１６１２として示される。シャフト軸１６１５に対して参照される場合、ＣＧの位置は、ＣＧ−Ｃ１６１４と呼ばれるＺ軸に沿ったＣＧ位置を測定する別の方法をもたらす。ＣＧ−Ｚ１６１２およびＣＧ−Ｃ１６１４の測定値の数値範囲は、これまでの説明と大差はないけれども、この発明のこの実施例は、マルチ材料シャーシを必要とすることなく、若干異なった構成で複数の目的を実現する代替方法を提供する。
【００５０】
添付図面の図１８は、この発明の代替実施例に従うゴルフクラブヘッド１６００の正面図を示す。この正面図において、この発明の性能基準の達成を支援するために本実施例によって利用される別の特徴を見ることができる。より具体的には、図１８は、この発明の実施例において、ゴルフクラブヘッド１６００のＭＯＩ−Ｚを最小化するために、ゴルフクラブヘッド１６００のトウ部分の輪郭の形状を変えることによりゴルフクラブヘッド１６００の先端から重みが除去される。ゴルフクラブヘッド１６００のトウ部分の輪郭の形状変更は、先端から重量を除去するだけでなく、ゴルフクラブヘッド１６００のフェースの輪郭を引き締めて、独特の性能のゴルフクラブヘッド１６００を形成する。
【００５１】
図１８は、トウの輪郭のポロフィールを示すことに加えて、また、前述の議論と同様に、シャフト軸１６１５に関連するＣＧ−Ｂ１６１６の測定値を示す。繰り返しになるけれども、ＣＧ−Ｂ１６１６の測定範囲は、先の議論で述べたとおりであり、この発明の設計意図から大きく逸脱するものではない。
【００５２】
添付図面の図１９は、この発明の代替実施例に従うゴルフクラブヘッド１６００の水平面に沿った切断断面図を示す。この発明の実施例において、ゴルフクラブヘッド１６００の中央部分に沿ってウエイトを配置するという包括的なテーマが再び示される。より具体的には、ゴルフクラブヘッド１６００は、前面内部ウエイト１６２４および背面内部ウエイト１６２６をさらに備える。しかしながら、これらのウエイトは、ゴルフクラブヘッドの本体部分と同じ材料、例えばチタンから作ることができ、本体中に直接に鋳造することができるという点でこの発明の前の実施例とは異なり、これは、この発明の範囲および内容から逸脱しない。これらの重み付け部材１６２４および１６２６は、また、この発明の範囲および内容から逸脱することなく、ゴルフクラブヘッド１６００の性能をさらに改善するために、２０〜２３グラムの総重量を有するタングステンタイプの材料から作製されて良い。
【００５３】
添付図面の図２０は、この発明の代替実施例に従うゴルフクラブヘッド１６００を垂直面に沿って断面する別の断面切欠き図を示す。繰り返しになるけれども、ここでの測定値は、以前の実施例に関連する前述の議論と非常に類似しており、ＣＧ−Ｚ１６１２の数は以前の議論と同じ範囲内にとどまる。この線に沿ったゴルフクラブヘッド１６００の断面切欠き図により、前面内部ウエイト１６２４および背面内部ウエイト１６２６のプロフィールおよび形状がより明確に示され、これがゴルフクラブヘッド１６００の本体部分と一緒に示される。
【００５４】
実施例の外に、または、とくにことわらない限りは、すべての数の範囲、量、値およびパーセント例えば明細書中の材料の量、慣性モーメント、重心位置、ロフト、ドラフト角度、種々の性能比、その他に関するそのようなものは、値、量、または範囲とともに明瞭に「約」の用語が表示されていなくてもそのような用語「約」があるものとして認識することができる。したがって、そうでないと示されない限り、明細書および特許請求の範囲の数字のパラメータは近似であり、これはこの発明により実現されることがのぞまれる所望の特性に応じて変化する。特許請求の範囲の均等理論の適応を排除する意図はないが、少なくとも、各数量のパラメータは報告された実行桁数の下で理解され、通常の丸め手法により把握すべきである。
【００５５】
この発明の広い範囲を示す数量の範囲およびパラメータは近似であるけれども、明細書の例に示された数量の値はできる限り正確に報告されている。ただし、いずれの数量の値も、各実験の測定に見いだされる標準偏差に起因する必然的な誤差を内在する。さらに、種々のことがらについて数量の範囲が示される場合には、指摘した値の範囲で、それらを組み合わせたものが利用できることを理解されたい。
【００５６】
以上は、この発明の例示の実施例に関するものであり、以下の特許請求の範囲で示される発明の範囲および程度を逸脱することなく修正を行えることはもちろんであることに留意されたい。
【符号の説明】
【００５７】
１００、２００    ゴルフクラブヘッド
１０１、２０１    座標系
１０２、２０２    フェース中心
１０４、２０４    前面部分
１０６、２０６    背面部分
２１０    ゴルフクラブヘッドの重心（ＧＣ）
２１５    シャフト軸
【図１】
2020093081.tif 000003
【図２】
2020093081.tif 000004
【図３】
2020093081.tif 000005
【図４】
2020093081.tif 000006
【図５】
2020093081.tif 000007
【図６】
2020093081.tif 000008
【図７】
2020093081.tif 000009
【図８】
2020093081.tif 000010
【図９】
2020093081.tif 000011
【図１０】
2020093081.tif 000012
【図１１】
2020093081.tif 000013
【図１２】
2020093081.tif 000014
【図１３】
2020093081.tif 000015
【図１４】
2020093081.tif 000016
【図１５】
2020093081.tif 000017
【図１６】
2020093081.tif 000018
【図１７】
2020093081.tif 000019
【図１８】
2020093081.tif 000020
【図１９】
2020093081.tif 000021
【図２０】
2020093081.tif 000022
【外国語明細書】
2020093081000001.pdf